(57)【要約】【課題】Ｗｅｂページを手軽に閲覧することができる、Ｗｅｂページ閲覧支援システムを提供すること。【解決手段】Ｗｅｂページ表示領域３１の近傍のタブ表示領域３５には、タブ３６が表示される。タブ３６は、Ｗｅｂページ表示領域３１に表示するＷｅｂページを選択的に切り替えるオブジェクトであり、それぞれがＷｅｂファイルに対応し、これらタブ３６にはそれぞれのＷｅｂページの内容を示すタイトルが表示される。タブ３６は、Ｗｅｂファイルの数が増えた場合、すべてのタブ３６がタブ表示領域３５内に表示されるように、タブ３６自体の表示サイズが変動し、カレントタブ以外のタブ３６は縮小して表示される。そして、ユーザが表示画面上のポインタ３９を移動させポインタ３９が指し示す座標とタブ３６ｃの表示域の座標とが重なる旨がＣＰＵに出力されると、ＣＰＵは、当該タブ３６ｃを拡大して表示させる。【選択図】　図６
2004086743.tif 000002
【特許請求の範囲】
【請求項１】
画面上に表示するＷｅｂページを選択的に切り替えるためのオブジェクトとしてのタブを画面上に表示する手段を備えたＷｅｂページ閲覧支援システムにおいて、
前記タブを画面上に表示する手段は、
画面上に表示されているＷｅｂページに対応するタブ以外のタブを縮小して表示することを特徴とするＷｅｂページ閲覧支援システム。
【請求項２】
請求項１に記載のＷｅｂページ閲覧支援システムにおいて、
前記タブは、画面上に表示されたポインタにて操作されることにより、該Ｗｅｂページを選択的に切り替えるオブジェクトであって、
前記ポインタが指し示す画面上の座標を検出する手段と、
該座標と前記タブの座標域に基づいて、前記ポインタと縮小表示されたタブとが重なっているか否かを検知する手段と、
該重なっている場合に、該タブを拡大表示する手段と、を備えたことを特徴とするＷｅｂページ閲覧支援システム。
【請求項３】
請求項１又は請求項２に記載のＷｅｂページ閲覧支援システムにおいて、
前記タブは、Ｗｅｂページのダウンロードステータスを表示する手段を備えたことを特徴とするＷｅｂページ閲覧支援システム。
【請求項４】
請求項３に記載のＷｅｂページ閲覧支援システムにおいて、
前記Ｗｅｂページのダウンロードステータスを表示する手段は、該ダウンロードステータスに応じて前記タブが段階的に画面上に表示されることを特徴とするＷｅｂページ閲覧支援システム。
【請求項５】
画面上に表示するＷｅｂページを選択的に切り替えるためのオブジェクトとしてのタブを画面上に表示し、該タブが画面上に表示されたポインタにて操作されることにより、該Ｗｅｂページを選択的に切り替えるためのプログラムであって、
コンピュータに、
前記ポインタが指し示す座標を検出させるステップと、
該座標と前記タブの座標域に基づいて、前記ポインタと縮小表示されたタブとが重なっているか否かを検知させるステップと、
該重なっている場合に、該タブを拡大表示させるステップと、
を備えたことを特徴とするプログラム。
【発明の詳細な説明】
【０００１】
【発明の属する技術分野】
本発明は、Ｗｅｂページ閲覧支援システム及びプログラムに関するものである。
【０００２】
【従来の技術】
近年、パーソナルコンピュータ（以下、単にパソコン）は、インターネットの発展とともに急速に普及し、様々な分野、幅広い年齢層に利用されており、特に、所謂Ｗｅｂページの閲覧は、その主たる目的の一つになっている。ユーザは、Ｗｅｂブラウザ等を利用してインターネット上のＷｅｂサイトにアクセスする。そして、Ｗｅｂページ上に張られたリンクを辿り、様々なＷｅｂページを次々に開いていくことで、多種多様な情報を収集し又は所望するサービスの提供を受ける。ところが、必ずしも閲覧しようとするＷｅｂページが決まっていない場合が多く、また、複数のＷｅｂページを見比べたい場合もある。そのため、通常は一度閲覧したページを再度画面上に表示する必要がある。
【０００３】
従来、Ｗｅｂブラウザには、読み込んだＷｅｂページの中から表示するＷｅｂページを順次切り替えることができるボタンオブジェクトが備えられており、読み込まれるＷｅｂページによっては、新たに別のウィンドウを開いて表示するものもある。また、表示するＷｅｂページを選択的に切り替えるオブジェクトとしてタブを備えたＷｅｂブラウザもある。
【０００４】
【発明が解決しようとする課題】
しかし、多くのＷｅｂページを読み込んでしまった場合には、逐一表示するＷｅｂページを切り替えて、その中から所望のページを探すのは大変である。また、タブ付きＷｅｂブラウザの場合であっても、このような場合には、全てのタブが同じサイズで小さくなってしまうので、隠れているＷｅｂページのみならず表示しているＷｅｂページもタイトルを判別することができなくなるという問題があった。
【０００５】
本発明は、上記問題点を解決するためになされたものであって、その目的は、Ｗｅｂページを手軽に閲覧することができる、Ｗｅｂページ閲覧支援システム及びプログラムを提供することにある。
【０００６】
【課題を解決するための手段】
上記目的を達成するために、請求項１に記載の発明は、画面上に表示するＷｅｂページを選択的に切り替えるためのオブジェクトとしてのタブを画面上に表示する手段を備えたＷｅｂページ閲覧支援システムにおいて、前記タブを画面上に表示する手段は、画面上に表示されているＷｅｂページに対応するタブ以外のタブを縮小して表示することとした。
【０００７】
また、請求項２に記載の発明は、前記タブは、画面上に表示されたポインタにて操作されることにより、該Ｗｅｂページを選択的に切り替えるオブジェクトであって、前記ポインタが指し示す画面上の座標を検出する手段と、該座標と前記タブの座標域に基づいて、前記ポインタと縮小表示されたタブとが重なっているか否かを検知する手段と、該重なっている場合に、該タブを拡大表示する手段と、を備えた。
【０００８】
また、請求項３に記載の発明は、前記タブは、Ｗｅｂページのダウンロードステータスを表示する手段を備えた。
また、請求項４に記載の発明は、前記Ｗｅｂページのダウンロードステータスを表示する手段は、該ダウンロードステータスに応じて前記タブが段階的に画面上に表示されることとした。
【０００９】
請求項５に記載の発明は、画面上に表示するＷｅｂページを選択的に切り替えるためのオブジェクトとしてのタブを画面上に表示し、該タブが画面上に表示されたポインタにて操作されることにより、該Ｗｅｂページを選択的に切り替えるためのプログラムであって、コンピュータに、前記ポインタが指し示す座標を検出させるステップと、該座標と前記タブの座標域に基づいて、前記ポインタと縮小表示されたタブとが重なっているか否かを検知させるステップと、該重なっている場合に、該タブを拡大表示させるステップと、を備えた。
【００１０】
（作用）
従って、請求項１に記載の発明によれば、ユーザは、画面上に表示されているＷｅｂページのタイトルを一目で確認することができるので、Ｗｅｂページを手軽に閲覧することができる。
【００１１】
請求項２，５に記載の発明によれば、多数のＷｅｂページを閲覧したためにタブが縮小表示されている場合であっても、ユーザは、ポインタでタブを指し示すことにより、当該タブに表示されたタイトルを確認することができるので、Ｗｅｂページを手軽に閲覧することができる。
【００１２】
請求項３，４に記載の発明によれば、ユーザは、タブをみるだけで、対応するＷｅｂページのダウンロードの経過状況が判るため、安心してＷｅｂページの閲覧をすることができるので、Ｗｅｂページを手軽に閲覧することができる。
【００１３】
【発明の実施の形態】
以下、本発明を具体化した一実施形態を図１〜図７に従って説明する。
図１は、パーソナルコンピュータ（以下、単にパソコン）１の概略構成を示す外観図である。
【００１４】
図１に示すように、パソコン１は、本体にキーボード１０と表示画面１１を備え、マウス１２が接続されている。
キーボード１０には、文字・記号・数字を入力するための文字キーと、それ以外のカーソルキー、コントロールキー等の制御文字を入力するための特殊キーが備えられている。
【００１５】
マウス１２は、平面上を動かすことにより、表示画面１１に表示されているポインタ３９（本実施形態では矢印型）を動かすことができる。また、マウス１２は複数（本実施形態では２つ）のマウスボタン１２ａ，１２ｂを備え、それらのマウスボタン１２ａ，１２ｂの少なくともいずれか１つを押すことにより、すなわち、クリックすることにより、表示画面１１に表示されるポインタ３９が指し示しているオブジェクトに対応する処理を行う。
【００１６】
次にパソコン１のハードウェア構成のついて説明する。図２は、パソコン１のハードウェア構成を概略的に示すブロック図である。
図２に示すように、パソコン１は、ＣＰＵ２２を備え、このＣＰＵ２２は、システムバス２３を介してメモリ２４、記憶装置２５、入力装置２６、出力装置２７、ドライブ装置２８、通信装置２９、と接続されている。
【００１７】
ＣＰＵ２２は、メモリ２４を利用してプログラムを実行する。メモリ２４はプログラムとデータが格納されている。
通信装置２９は、ネットワークへの接続に用いられ、通信に伴うデータ変換等を行い、インターネットを介してサーバコンピュータなどにアクセスし、プログラムやデータの授受を行う。
【００１８】
ドライブ装置２８は、記憶媒体を駆動し、その記憶内容にアクセスする。この記憶媒体には、プログラム及びデータが記憶され、必要に応じてメモリ２４に読み込んで使用することができる。
【００１９】
入力装置２６は、キーボード１０及びポインティングデバイスとしてのマウス１２を含み、ユーザーからの要求や指示の入力に用いられる。また、出力装置２７は、ＣＰＵ２２に制御されており、入力される出力データに基づく文字・画像を表示画面１１に表示する。
【００２０】
ここで、入力装置２６と出力装置２７における入出力動作について詳述する。
マウス１２又はキーボード１０を操作することにより、その機械的操作は電子的なデータに変換され、メモリ２４に書き込まれる。ＣＰＵ２２は、メモリ２４に書き込まれた電子的データを読み込み、プログラムに基づいて処理を行う。
【００２１】
次に、ＣＰＵ２２は、プログラムにより処理した画像を表示するための表示データを出力装置２７に送信し、表示画面１１に表示するように指示する。ＣＰＵ２２から指示を受けて出力装置２７は表示画面１１に表示データに基づいて画像を表示する。
【００２２】
記憶装置２５は、プログラムとデータが記憶され、ＣＰＵ２２はメモリ２４に存在しているプログラムの指示により、プログラム及びデータをメモリ２４へ転送し、それを実行する。
【００２３】
次に、Ｗｅｂページ閲覧支援システムをＷｅｂブラウザに具体化した一例を示し説明する。
まず、所謂Ｗｅｂページとは、ＨＴＭＬ等のＷＷＷ言語で記述されたＷｅｂドキュメント等により表現される仮想書面をいい、文書や静止画像のみならず、画像データ、音声データ等を組み込むことよって動画や音声等が表現されたものを含む。
【００２４】
このようなＷｅｂページを表現するためのＷｅｂドキュメント及び種々のデータ等は、インターネット上のＷｅｂサーバが有する記憶装置等にＷｅｂファイルとして格納されている。
【００２５】
Ｗｅｂブラウザは、Ｗｅｂページの閲覧に用いられるアプリケーションソフトウェアであり、コンピュータ上に実装され、インターネット上のＷｅｂサーバからＷｅｂファイルをダウンロードし当該Ｗｅｂファイルに基づいて情報端末の画面上にＷｅｂページを表示する機能を提供する。
【００２６】
Ｗｅｂブラウザのコンピュータプログラムは、ドライブ装置２８を利用してフロッピー（登録商標）やＣＤ−ＲＯＭ等の可搬媒体に格納された状態で提供され、又は、ネットワーク上に接続された他のコンピュータの記憶装置から通信装置２９を介して提供される。提供されたプログラムは記憶装置２５にインストールされ、起動時にメモリ２４にロードされ実行するものである。
【００２７】
図３は、本実施形態におけるＷｅｂブラウザが表示された表示画面１１の外観図である。Ｗｅｂブラウザを起動すると、表示画面１１には、Ｗｅｂページ表示領域３１、入力フィールド３２が表示され、その近傍には、Ｗｅｂファイルのダウンロード処理や表示するＷｅｂページを順次切り替えるためのオブジェクト群３３が表示される。
【００２８】
入力フィールド３２は、所望のＷｅｂページを閲覧するために、Ｗｅｂファイルのダウンロード先となるＷｅｂサーバ及びＷｅｂファイルを指定するユニフォーム・リソース・ロケータ（ＵＲＬ）を入力するフィールドである。入力フィールド３２にＵＲＬの入力があると、当該指定先のＷｅｂサーバからＷｅｂファイルのダウンロードが行われる。そして、ダウンロードされたＷｅｂファイルに基づいてＷｅｂページ表示領域３１にＷｅｂページが表示される。
【００２９】
詳述すると、ＣＰＵ２２は、入力装置２６からＵＲＬの入力があった旨の出力を受けると、そのデータをメモリ２４に転送し、Ｗｅｂサーバに対し当該指定されたＷｅｂファイルの転送要求を送信するよう、通信装置２９に指示する。そして、ＷｅｂサーバからＷｅｂファイルの転送、即ちダウンロードが開始されると、ＣＰＵ２２は、当該Ｗｅｂファイルをメモリ２４に転送するよう指示する。そして、ダウンロードされたＷｅｂファイル４１は、図４に示すように、メモリ２４のＷｅｂファイル格納領域４２に格納される。
【００３０】
Ｗｅｂファイル４１がダウンロードされると、ＣＰＵ２２は、出力装置２７に対し、当該Ｗｅｂファイル４１に基づきＷｅｂページ表示領域３１上にＷｅｂページを出力するよう指示し、出力装置２７は、Ｗｅｂページ表示領域３１にＷｅｂページを表示する。
【００３１】
なお、ブックマーク３３ａを用いて指定した場合及びＷｅｂページ中のリンクをクリックした場合も同様にしてダウンロードが行われた後、Ｗｅｂページが表示される。
【００３２】
Ｗｅｂページ表示領域３１には、基本的に直近にダウンロードしたＷｅｂファイル４１に基づくＷｅｂページが表示されるが、Ｗｅｂページ切替オブジェクト３３ｂ，３３ｃが操作されることにより、Ｗｅｂページ表示領域３１に表示されるＷｅｂページは、ダウンロード順に順次切り替わる。
【００３３】
次に、Ｗｅｂファイルのダウンロードが開始されると、Ｗｅｂページ表示領域３１の近傍（Ｗｅｂページ表示領域３１の上方）のタブ表示領域３５に、タブ３６が表示される。
【００３４】
タブ３６は、Ｗｅｂファイル４１のダウンロードの経過情報を表示する機能、所謂ダウンロードステータス表示機能を有する。即ち、Ｗｅｂファイル４１のダウンロード中、当該タブ３６には、当該Ｗｅｂファイル４１のダウンロードがどの程度進んでいるかについての情報が表示される。
【００３５】
詳述すると、ＷｅｂサーバからＷｅｂファイル４１のダウンロードを行う際、ＣＰＵ２２は、通信装置２９に対し、Ｗｅｂサーバから当該ダウンロードの対象となるＷｅｂファイル４１の総転送データ量の情報を取得し出力することを指示する。そして、それとともに、ダウンロード中は、Ｗｅｂサーバからの累積転送データ量を逐次測定し出力するよう指示する。そして、ＣＰＵ２２は、当該総転送データ量とその時点での前記累積転送データ量を逐次比較し、当該Ｗｅｂファイル４１がどの程度ダウンロード済みであるかの判断を行う。
【００３６】
次に、当該Ｗｅｂファイル４１のダウンロードが一定の割合まで進んだ場合、複数の任意の時点で、ＣＰＵ２２は、出力装置２７に対し、それらの各時点に応じたタブ３６の画像データを出力し、表示画面１１上のタブ表示領域３５にタブ３６を表示するよう指示する。尚、当該任意の時点は、例えば、Ｗｅｂファイル４１のダウンロード開始時の他にも、５０％ダウンロード済みとなった時点等、が想定される。
【００３７】
本実施例では、このようなダウンロード中の各時点でのタブ３６の画像データは、ダウンロード初期の時点に対応する画像データ程、表示色の彩度が低く、ダウンロードが終了に近づくにつれて表示色の彩度が高くなる構成となっている。そのため、ダウンロード中のＷｅｂファイル４１に対応するタブ３６は、Ｗｅｂファイル４１のダウンロードが進むにつれて徐々に視認性が良くなり、Ｗｅｂファイル４１のダウンロードが終了したときに、タブ３６は完全に視認可能な形で表示される。
【００３８】
また、タブ３６は、それぞれがダウンロードした、又は、ダウンロード中の、Ｗｅｂファイル４１に対応しており、これらタブ３６にはそれぞれのＷｅｂページの内容を示すタイトル３７が表示される。例えば、図中のタブ３６ａ〜３６ｃは、それぞれ図４に示すダウンロードした、又は、ダウンロード中の、Ｗｅｂファイル４１ａ〜４１ｃに対応しており、これらタブ３６ａ〜３６ｃには、それぞれタイトル３７ａ〜３７ｃが表示される。
【００３９】
タブ３６は、Ｗｅｂページ表示領域３１に表示するＷｅｂページを選択的に切り替えるオブジェクトである。即ち、タブ３６の何れかがクリックされると、Ｗｅｂページ表示領域３１に表示されるＷｅｂページが、当該クリックされたタブ３６に対応するＷｅｂページに切り替わる。例えば、タイトル３７ａが表示されたタブ３６ａをクリックすると、当該タブ３６ａに対応するＷｅｂファイル４１ａに基づいて、Ｗｅｂページ表示領域３１にＷｅｂページ３８ａが表示される。このとき、当該Ｗｅｂページ表示領域３１に表示されているＷｅｂページに対応するタブ３６、即ちカレントのタブ３６は、他のタブ３６とは異なる色で表示される。
【００４０】
この場合において、タブ３６による表示Ｗｅｂページの切り替えは、Ｗｅｂファイル４１のダウンロード中であっても可能である。即ち、各タブ３６は、それぞれがダウンロードした、又は、ダウンロード中の、Ｗｅｂファイル４１に対応しているため、ダウンロード中のＷｅｂファイル４１とは無関係に他のＷｅｂファイル４１に基づくＷｅｂページをＷｅｂページ表示領域３１に表示可能である。
【００４１】
尚、タブ３６による表示Ｗｅｂページの切り替えを行った後にＷｅｂページ切替オブジェクト３３ｂ，３３ｃを操作して表示Ｗｅｂページの切り替えを行った場合には、直近にＷｅｂページ表示領域３１に表示された順に、表示Ｗｅｂページが順次切り替わる。
【００４２】
タブ３６は、すべてのタブ３６がタブ表示領域３５内に表示されるように、タブ３６自体の表示サイズが変動する。即ち、タブ３６は、ダウンロードしたＷｅｂファイル４１の数が増えて、タブ表示領域３５内に全てのタブ３６を表示しきれなくなった場合、カレントタブ以外のタブ３６は縮小して表示される。
【００４３】
また、タブ３６は、ポインタ３９によって指し示されることにより、当該タブ３６に表示された前記タイトル３７が十分に視認可能となるように拡大表示される機能を有する。
【００４４】
次に、前記タブ３６の拡大表示機能とともに、上記のように構成されたＷｅｂページ閲覧支援システムについて説明する。図５〜図７は、タブ３６の拡大機能及びＷｅｂページ閲覧支援システムの作用を説明する図である。
【００４５】
図５に示すように、図中ではタイトル３７ｂが表示されたタブ３６ｂが選択されており、Ｗｅｂページ表示領域３１には、当該タブ３６ｂに対応するＷｅｂファイル４１ｂに基づくＷｅｂページ３８ｂが表示されている。
【００４６】
次に、図６に示すように、ユーザがマウス１２を操作し、表示画面１１上のポインタ３９を、当該ポインタ３９がタブ３６ｃを指し示す位置に移動させると、タブ３６ｃが拡大し、当該タブ３６に表示されたタイトル３７ｃが十分に視認可能となる。
【００４７】
詳述すると、ＣＰＵ２２は、入力装置２６からマウス１２が操作された旨の出力を受けると、出力装置２７に対し、表示画面１１上のポインタ３９が指し示す座標を検出するよう指示する。そして、出力装置２７は、ポインタ３９の指し示す座標が、何れかのタブ３６の表示域の座標と重なる場合には、その旨をＣＰＵ２２に出力する。即ち、図中では、ポインタ３９が指し示す座標はタブ３６ｃの表示域の座標と重なる旨がＣＰＵ２２に出力される。
【００４８】
ＣＰＵ２２は、かかる出力を受けると、タブ３６ｃに表示されるタイトル３７ｃのデータに基づき、当該タブ３６ｃを拡大表示するためのデータを出力装置２７に出力する。出力装置２７は、ＣＰＵ２２から出力されたデータに基づき、当該タブ３６ｃを拡大して表示する。
【００４９】
次に、ユーザがタブ３６ｃをクリックした場合、図７に示すように、Ｗｅｂページ表示領域３１には、当該タブ３６ｃに対応するＷｅｂファイル４１ｃに基づいて、Ｗｅｂページ３８ｃが表示される。そして、Ｗｅｂページ３８ｃが表示されると、カレントタブとなったタブ３６ｃは表示色が変わり、カレントタブではなくなったタブ３６ｂは、タブ３６ｃ以外のタブ３６と同じサイズ、表示色に変更されて表示される。
【００５０】
以上記述したように本実施の形態によれば、以下の効果を奏する。
（１）Ｗｅｂページ表示領域３１に表示するＷｅｂページを切り替えるためのオブジェクトとして、Ｗｅｂファイル４１に対応するタブ３６を表示画面１１上に表示することとし、当該タブ３６には、対応するＷｅｂファイル４１の内容を示すタイトル３７が表示されることとした。そして、ダウンロードしたＷｅｂファイル４１の数が増えて、タブ表示領域３５内に全てのタブ３６を表示しきれなくなった場合には、カレントタブ以外のタブ３６は縮小して表示されることとし、カレントタブについては縮小表示を行わないこととした。これにより、ユーザは、現在表示されているＷｅｂページのタイトルを一目で確認することができる。
【００５１】
（２）また、ユーザによりマウス１２が操作された場合、表示画面１１上のポインタ３９が指し示す座標を検出し、当該ポインタ３９が、何かのタブ３６と重なる場合には、当該ポインタ３９の座標と座標域が重複するタブ３６を拡大して表示することとした。その結果、多数のＷｅｂページを閲覧したために各タブ３６が縮小表示されている場合であっても、ユーザは、ポインタ３９でタブ３６を指し示すことにより、当該タブ３６に表示されたタイトル３７を確認し、目的のＷｅｂページを容易にかつ短時間で表示することができる。
【００５２】
（３）ダウンロード中のＷｅｂファイルに対応するタブ３６には、ダウンロードステータス表示機能を備えた。これにより、ユーザは、タブ３６を見るだけでダウンロードの状態を判断することができる。
【００５３】
（４）また、タブ３６のダウンロードステータス表示機能は、Ｗｅｂファイル４１のダウンロードが進むにつれて段階的にタブ表示領域３５に表示されることとし、当該Ｗｅｂファイル４１のダウンロードが終了したときに、完全に表示されることとした。これにより、ユーザは、一目でダウンロードの状態を判断することができる。
【００５４】
なお、前記実施形態は、以下の態様に変更してもよい。
○本実施形態では、パソコン上において具体化したが、ＰＤＡ（パーソナル・データ・アシスタンツ）や携帯電話等の移動体通信端末上で用いてもよい。また、本実施形態では、図中ではノート型パソコンを例示したが、タワー型やブック型等でもよく、ワークステーション等で用いてもよい。
【００５５】
○Ｗｅｂファイルは、文書のみを表示するテキストファイルであってもよい。
○Ｗｅｂファイルは、Ｗｅｂブラウザが実装されるパソコンの記憶装置２５の領域内に格納されていてもよい。
【００５６】
○タブ表示領域３５内に全てのタブ３６を表示しきれなくなった場合のタブ３６の表示形式は、カレントのタブ３６及びポインタ３９で指し示されているタブ３６以外のタブ３６は重ねて表示することにより、タブ表示領域３５内に全てのタブ３６を表示するものであってもよい。
【００５７】
○表示すべきタブ３６が多数となった場合に、前記タブ３６を重ねて表示する場合には、タブ３６の拡大表示機能は、当該、ポインタ３９で指し示されているタブ３６が、ユーザから見て最も手前に視認できるように表示されるものであってもよい。
【００５８】
○また、タブ３６の拡大表示機能は、タイトル３７を表示するポップアップ表示や所謂バルーン表示を行うものであってもよい。
○本実施形態では、タブ３６は、ダウンロードしたＷｅｂファイル４１の数が増えて、タブ表示領域３５内に全てのタブ３６を表示しきれなくなった場合に、カレントタブ以外のタブ３６が縮小して表示されることとしたが、当該Ｗｅｂファイル４１が少ないときにも縮小表示されることとしてもよい。
【００５９】
○ダウンロードステータス表示機能は、タブ３６をバーグラフのように表示するものやタブ３６を３Ｄ表示することにより表現するものであってもよい。
○また、本実施形態では、ダウンロードステータス表示機能は、ダウンロードの対象であるＷｅｂファイル４１のファイルサイズに対するダウンロード済みの割合に基づいて表示される構成とした。しかし、これに限らず、データの転送速度からダウンロードの所要時間を推測し、当該ダウンロード終了までの残り時間を表示するものであってもよい。
【００６０】
○タイトル３７は、Ｗｅｂドキュメントのヘッダ又はＷｅｂファイルのファイル名の表示であってもよく、Ｗｅｂページの構文解析により抽出されたものであってもよい。
【００６１】
○本実施形態では、タブ３６は、マウス１２を操作しクリックすることにより、即ちポインタ３９にて指示されたタブを操作されることとしたが、キーボード入力により、表示画面１１に表示された入力カーソルと重なるタブ３６について操作するものであってもよい。
【００６２】
○本実施形態では、本願発明に係るＷｅｂページ閲覧支援システムをＷｅｂブラウザに具体化して説明したが、ファイルビューア等に具体化してもよい。
次に、前記実施形態から把握できる技術思想を追記する。
【００６３】
（イ）請求項１〜請求項４のうちの何れか一つに記載のＷｅｂページ閲覧支援システムにおいて、前記タブは、画面上に表示されているＷｅｂページに対応するタブの表示形態が他のタブの表示形態と異なることを特徴とするＷｅｂページ閲覧支援システム。
【００６４】
（ロ）請求項１〜請求項４及び前記（イ）のうちの何れか一つに記載のＷｅｂページ閲覧支援システムにおいて、前記タブは、画面上のポインタにて指し示されるタブの表示形態が他のタブの表示形態と異なることを特徴とするＷｅｂページ閲覧支援システム。
【００６５】
（ハ）請求項５に記載のプログラムにおいて、前記プログラムは、前記タブにＷｅｂページのダウンロードステータスを表示させるステップを備えたプログラム。
【００６６】
（二）前記（ハ）に記載のプログラムにおいて、前記タブにＷｅｂページのダウンロードステータスを表示させるステップは、該ダウンロードステータスに応じて前記タブを段階的に画面上に表示させるプログラム。
【００６７】
（ホ）画面上に表示するＷｅｂページを選択的に切り替えるためのオブジェクトとしてのタブを画面上に表示するステップを備えたＷｅｂページ閲覧支援方法において、前記タブを画面上に表示するステップは、
画面上に表示されているＷｅｂページに対応するタブ以外のタブを縮小して表示することを特徴とするＷｅｂページ閲覧支援方法。
【００６８】
（へ）前記（ホ）に記載のＷｅｂページ閲覧支援方法において、前記タブは、画面上に表示されたポインタにて操作されることにより、該Ｗｅｂページを選択的に切り替えるオブジェクトであって、前記ポインタが指し示す画面上の座標を検出するステップと、該座標と前記タブの座標域に基づいて、前記ポインタと縮小表示されたタブとが重なっているか否かを検知するステップと、該重なっている場合に、該タブを拡大表示するステップと、を備えたことを特徴とするＷｅｂページ閲覧支援方法。
【００６９】
（ト）前記（ホ）又は（ヘ）に記載のＷｅｂページ閲覧支援方法において、前記タブは、Ｗｅｂページのダウンロードステータスを表示するステップを備えたことを特徴とするＷｅｂページ閲覧支援方法。
【００７０】
（チ）前記（ト）に記載のＷｅｂページ閲覧支援方法において、前記Ｗｅｂページのダウンロードステータスを表示するステップは、該ダウンロードステータスに応じて前記タブが段階的に画面上に表示されることを特徴とするＷｅｂページ閲覧支援方法。
【００７１】
【発明の効果】
以上詳述したように、本発明によれば、Ｗｅｂページを手軽に閲覧することができる、Ｗｅｂページ閲覧支援システム及びプログラムを提供することができる。
【図面の簡単な説明】
【図１】パソコンの概略構成を示す外観図。
【図２】パソコンのハードウェア構成を概略的に示すブロック図。
【図３】Ｗｅｂブラウザが表示された表示画面の外観図。
【図４】Ｗｅｂファイル及びＷｅｂファイル格納領域を機能的に示す概略構成図。
【図５】タブの拡大表示機能及びＷｅｂページ閲覧支援システムの説明図。
【図６】タブの拡大表示機能及びＷｅｂページ閲覧支援システムの説明図。
【図７】タブの拡大表示機能及びＷｅｂページ閲覧支援システムの説明図。
【符号の説明】
１１…表示画面、１２…マウス、３１…Ｗｅｂページ表示領域、３６，３６ａ〜３６ｃ…タブ、３７，３７ａ〜３７ｃ…タイトル、３８ａ〜３８ｃ…Ｗｅｂページ、３９…ポインタ、４１，４１ａ〜４１ｃ…Ｗｅｂファイル。
【図１】
2004086743.tif 000003
【図２】
2004086743.tif 000004
【図３】
2004086743.tif 000005
【図４】
2004086743.tif 000006
【図５】
2004086743.tif 000007
【図６】
2004086743.tif 000008
【図７】
2004086743.tif 000009